(57)【要約】【課題】ダブルスキンタイプのカーテンウォールユニットとシングルスキンタイプのカーテンウォールユニットに兼用できるカーテンウォール用無目とする。【解決手段】室外側縦向部４１と上横向部４２と室内側縦向部４３でほぼ下向きコ字状で凹陥部４４を有し、上部室外側と上部室内側に、スパンドレル部１ａの室外側パネル３下縁、室内側パネル４下縁の取付部を有し、下部室外側と下部室内側に、ビジョン部１ｂの室外側窓５上縁、室内側窓６上縁の取付部を有し、室外側縦向部４１の上部に設けた中空部６０ａに流入口６６と排気口６７を形成可能とし、その中空部６０ａに流入口６６と排気口６７を形成することで凹陥部４４の空気を室外に排出する空気排出路９を形成できるようにした無目。【選択図】図６
2015045167.tif 000002
【特許請求の範囲】
【請求項１】
カーテンウォールユニットの枠体を形成する無目であって、
室外側縦向部と、室外側縦向部の上部に室外側に向けて設けた上横向部と、上横向部の室外側に下向きに設けた室内側縦向部とで下方に向けて開口した凹陥部を有し、
上部室外側にスパンドレル部の室外側パネルの下縁を取り付ける室外側パネル取付部を有すると共に、上部室内側にスパンドレル部の室内側パネルの下縁を取り付ける室内側パネル取付部を有し、
下部室外側にビジョン部の室外側窓の上縁を取り付ける室外側窓取付部を有すると共に、下部室内側にビジョン部の室内側窓の上縁を取り付ける室内側窓取付部を有し、
前記室外側縦向部における室外側窓取付部よりも上方に中空部を有し、
該中空部の上部に、当該中空部を凹陥部に連通する流入口を形成可能で、かつ中空部の下面に当該中空部を室外に連通する排気口を形成可能としたことを特徴とするカーテンウォール用無目。
【請求項２】
ダブルスキンタイプのカーテンウォールユニットを上下、左右方向に並設したカーテンウォールであって、
前記カーテンウォールユニットの枠体は、左右の縦材と上横材と請求項１記載の無目と下横材とで上枠部と下枠部を有し、
前記上枠部に室外側パネルと室内側パネルを取り付けてスパンドレル部とし、
前記下枠部に室外側窓と室内側窓を取り付けてビジョン部とし、
前記室外側窓と室内側窓との間の空間を、前記無目の凹陥部に連通し、
前記無目の中空部に流入口と排気口を形成することで、その中空部内を前記空間の空気が流れ、流入口が排気口よりも高い空気排出路とし、
前記下横材に、室外の空気が空間に流入する空気流入路を形成したことを特徴とするカーテンウォール。
【請求項３】
シングルスキンタイプのカーテンウォールユニットを上下、左右方向に並設したカーテンウォールであって、
前記カーテンウォールユニットの枠体は、左右の縦材と上横材と請求項１記載の無目と下横材とで上枠部と下枠部を有し、
前記上枠部に室外側パネルと室内側パネルを取り付けてスパンドレル部とし、
前記下枠部に室外側窓を取り付けてビジョン部としたことを特徴とするカーテンウォール。
【発明の詳細な説明】
【技術分野】
【０００１】
本発明は、カーテンウォールの枠体を形成するカーテンウォール用無目及び、その無目を用いたカーテンウォールに関する。
【背景技術】
【０００２】
カーテンウォールとしては、カーテンウォールユニットを建物躯体に上下方向及び左右方向に並べて複数取り付けたカーテンウォールが知られている。
例えば、特許文献１に開示したように、左右の縦枠と上横材と無目（中間横材）と下横材とで上枠部と下枠部を有した枠体とし、この枠体の上枠部にパネルを取り付けてスパンドレル部とし、下枠部に室外側窓と室内側窓を取り付けてビジョン部としたダブルスキンタイプのカーテンウォールユニットを用いたカーテンウォールが提案されている。
【０００３】
また、特許文献２に開示したように、左右の縦材と上横材と無目と下横材とで枠体とし、その枠体の上枠部にパネルを取り付けてスパンドレル部と、下枠部に室外側窓を取り付けてビジョン部としたシングルスキンタイプのカーテンウォールユニットを用いたカーテンウォールが提案されている。
【先行技術文献】
【特許文献】
【０００４】
【特許文献１】特開２０１０−５９６３９号公報
【特許文献２】特開２００６−１１８２２５号公報
【発明の概要】
【発明が解決しようとする課題】
【０００５】
ダブルスキンタイプのカーテンウォールユニットの無目は、下部の室外側と室内側とに窓取付部をそれぞれ有すると共に、ビジョン部の室外側窓と室内側窓との間の空間を室外側に開口する排気口を有する形状である。
シングルスキンタイプのカーテンウォールユニットの無目は、下部の室外側に窓取付部を有し、下部の室内側に窓取付部を有しないと共に、排気口を有しない形状である。
このために、ダブルスキンタイプのカーテンウォールユニットに用いる無目とシングルスキンタイプのカーテンウォールユニットに用いる無目を兼用できない。
しかも、排気口の有無により無目の外観が異なるので、ダブルスキンタイプのカーテンウォールユニットの外観とシングルスキンタイプのカーテンウォールユニットの外観が異なり、両方のタイプのカーテンウォールユニットを１つの建物に取り付けた場合に、建物の外観を統一することができない。
【０００６】
本発明は、前述の課題を解決するためになされたもので、その目的は、ダブルスキンタイプのカーテンウォールユニット及びシングルスキンタイプのカーテンウォールユニットに兼用できるようにしたカーテンウォール用無目及びその無目を用いたカーテンウォールとすることである。
【課題を解決するための手段】
【０００７】
本発明のカーテンウォール用無目は、カーテンウォールユニットの枠体を形成する無目であって、
室外側縦向部と、室外側縦向部の上部に室外側に向けて設けた上横向部と、上横向部の室外側に下向きに設けた室内側縦向部とで下方に向けて開口した凹陥部を有し、
上部室外側にスパンドレル部の室外側パネルの下縁を取り付ける室外側パネル取付部を有すると共に、上部室内側にスパンドレル部の室内側パネルの下縁を取り付ける室内側パネル取付部を有し、
下部室外側にビジョン部の室外側窓の上縁を取り付ける室外側窓取付部を有すると共に、下部室内側にビジョン部の室内側窓の上縁を取り付ける室内側窓取付部を有し、
前記室外側縦向部における室外側窓取付部よりも上方に中空部を有し、
該中空部の上部に、当該中空部を凹陥部に連通する流入口を形成可能で、かつ中空部の下面に当該中空部を室外に連通する排気口を形成可能としたことを特徴とするカーテンウォール用無目である。
【０００８】
本発明のカーテンウォールは、ダブルスキンタイプのカーテンウォールユニットを上下、左右方向に並設したカーテンウォールであって、
前記カーテンウォールユニットの枠体は、左右の縦材と上横材と請求項１記載の無目と下横材とで上枠部と下枠部を有し、
前記上枠部に室外側パネルと室内側パネルを取り付けてスパンドレル部とし、
前記下枠部に室外側窓と室内側窓を取り付けてビジョン部とし、
前記室外側窓と室内側窓との間の空間を、前記無目の凹陥部に連通し、
前記無目の中空部に流入口と排気口を形成することで、その中空部内を前記空間の空気が流れ、流入口が排気口よりも高い空気排出路とし、
前記下横材に、室外の空気が空間に流入する空気流入路を形成したことを特徴とするカーテンウォールである。
【０００９】
本発明のカーテンウォールは、シングルスキンタイプのカーテンウォールユニットを上下、左右方向に並設したカーテンウォールであって、
前記カーテンウォールユニットの枠体は、左右の縦材と上横材と請求項１記載の無目と下横材とで上枠部と下枠部を有し、
前記上枠部に室外側パネルと室内側パネルを取り付けてスパンドレル部とし、
前記下枠部に室外側窓を取り付けてビジョン部としたことを特徴とするカーテンウォールである。
【発明の効果】
【００１０】
本発明のカーテンウォール用無目であれば、ダブルスキンタイプのカーテンウォールユニットを用いたカーテンウォール及びシングルスキンタイプのカーテンウォールユニットを用いたカーテンウォールの無目として兼用できる。
室外側縦向部の中空部の下面に排気口を形成するようにしたので、その排気口が室外から見えることがなく、排気口を有した無目の外観と排気口を有しない無目の外観が同一で、ダブルスキンタイプのカーテンウォールユニットの外観とシングルスキンタイプのカーテンウォールユニットの外観を同一とすることが可能である。
室外側縦向部の中空部に流入口と排気口を形成して空気排出路とした場合に、排気口から流入した雨水が流入口から凹陥部に吹きこむことがない。
【図面の簡単な説明】
【００１１】
【図１】ダブルスキンタイプのカーテンウォールユニットを用いたカーテンウォールの一部外観図である。
【図２】図１の縦断面図である。
【図３】図１のＡ−Ａ拡大詳細断面図である。
【図４】図１のＢ−Ｂ拡大詳細断面図である。
【図５】図１のＣ−Ｃ拡大詳細断面図である。
【図６】図１のＤ−Ｄ拡大詳細断面図である。
【図７】シングルスキンタイプのカーテンウォールユニットを用いたカーテンウォールの一部外観図である。
【図８】図７の縦断面図である。
【図９】図７のＥ−Ｅ拡大詳細断面図である。
【図１０】図７のＦ−Ｆ拡大詳細断面図である。
【図１１】図７のＧ−Ｇ拡大詳細断面図である。
【図１２】図７のＨ−Ｈ拡大詳細断面図である。
【発明を実施するための形態】
【００１２】
図１及び図２に示すように、カーテンウォールユニット１を上下方向及び左右方向に並べて建物躯体１０に取り付けてカーテンウォールとしてある。
カーテンウォールユニット１の枠体２は、左右の縦材２０，２０と上横材３０と無目４０と下横材５０とで上枠部２ａと下枠部２ｂを有する。
上枠部２ａに室外側パネル３と室内側パネル４を取り付けて建物の天井１１と床１２との間の室外側に位置するスパンドレル部１ａとしてある。室外側パネル３はアルミパネル等の金属パネル、ガラスパネル、石材パネル等である。
下枠部２ｂに室外側窓５と室内側窓６を取り付けて建物の居住空間１３の室外側に位置するビジョン部１ｂとしてある。
【００１３】
前記縦材２０は図３、図４に示すように室内外側方向に向かう本体２１の室外側の見付け方向の外側に押縁取付部２２を有し、本体２１の室内側寄りの見付け方向の内側に内向突片２３を有している。
左右に隣接したカーテンウォールユニット１の縦材２０間は縦一次シール材ａ、縦二次シール材ｂで水密し、その縦材２０間から雨水が室内側に浸入しないようにしてある。
スパンドレル部１ａにおいては、図３に示すように縦材２０の室外側にブラケット２４を介して室外側パネル３、例えばアルミパネルの縦縁が取り付けてある。
縦材２０の室内側寄りには、室内側パネル４、例えば耐火パネルの縦縁が内向突片２３と押え片２５で取り付けてある。
縦材２０の室外側面と室外側パネル３の縦縁との間が縦シール材ｃでシールしてある。
【００１４】
ビジョン部１ｂにおいては、図４に示すように本体２１の押縁取付部２２に押縁２６の取付部２６ａを係合して押縁２６が室外側方向及び見付け方向に動かないように取り付けてある。
押縁２６と本体２１の室外側端面との間で室外側窓５である室外側ガラス５ａの縦縁をシール材を介して支持している。
本体２１の室内側寄りには、室内側窓６の縦縁が内向突片２３に接するように取り付けてある。
なお、縦一次シール材ａ、縦二次シール材ｂはスパンドレル部１ａとビジョン部１ｂとに渡って連続している。
【００１５】
図５に示すように、上横材３０は縦材２０と見込み寸法が同一で、室外側にブラケット３１を介してスパンドレル部１ａの室外側パネル３、例えばアルミパネルの上縁が取り付けてある。
上横材３０の室内側に室内側パネル４、例えば耐火パネルの上縁が取り付けてある。
上横材３０の室外側面と室外側パネル３の上縁との間が上横シール材ｄでシールしてある。
【００１６】
図５に示すように下横材５０は、上面板５１と下面板５２と室外側縦板５３と室内側縦板５４で中空部５５を有した本体５６と、この本体５６の下面板５２の室外側に取り付けた押縁５７を備えている。
本体５６の見込み寸法は上横材３０の見込み寸法と同一である。
下横材５０は下のカーテンウォールユニット１の上横材３０と上下方向の隙間を有して建物躯体１０に取り付けてあり、上横材３０の上面と下横材５０の本体５６の下面板５２（下横材５０の下面）との間における室外側寄りに空気流通用の隙間７を有している。
この隙間７は下横材５０の本体５６の下面板５２に形成した吸気口５８で中空部５５に連通し、中空部５５は本体５６の上面板５１に形成した流出口５９で室外側窓５と室内側窓６との間の空間８に連通している。
空間８には電動式のブラインド８ａが設けてある。
【００１７】
下横材５０の本体５６の下面板５２の吸気口５８よりも室内側寄りと下横材３０の上面との間は横一次シール材ｅ、横二次シール材ｆでシールされている。
これにより、隙間７に空気とともに入り込んだ雨水が室内側に浸入することがない。
【００１８】
図５に示すように、下横材５０の本体５６の上面板５１（下横材５０の上面）における室内側部には室内側窓６の下取付部５０ａを有している。
この下取付部５０ａに室内側窓６の下部が取り付けてある。
室外側窓５を形成するガラス５ａの下縁が、下横材５０の本体５６の室外側縦板５３と押縁５７との間でシール材を介して支持している。
【００１９】
図６に示すように、無目４０は、室外側縦向部４１と、室外側縦向部４１の上部に室内側に向けて設けた上横向部４２と、上横向部４２の室内側に下向きに設けた室内側縦向部４３とで略下向きコ字状で、下方に向けて開口した凹陥部４４を有している。
この実施の形態では、室外側縦向部４１と上横向部４２を一体とした略鉤形部材と、室内側縦向部４３である室内側部材とで無目４としてある。
これに限ることはなく、室外側縦向部４１、上横向部４２、室内側縦向部４３を一体としても良いし、各部を別々の部材としても良い。
【００２０】
そして、無目４０は上横向部４２の室外側、つまり無目４０の上部室外側に、スパンドレル部１ａの室外側パネル３の下縁を取り付ける室外側パネル取付部４０ａを有し、室内側縦向部４３の上部、つまり無目４０の上部室内側に、スパンドレル部１ａの室内側パネル４の下縁を取り付ける室内側パネル取付部４０ｂを有している。
室外側縦向部４１の下部、つまり無目４０の下部室外側に、ビジョン部１ｂの室外側窓５の上縁を取り付ける室外側窓取付部４０ｃを有し、室内側縦向部４３の下部、つまり無目４０の下部室内側に、ビジョン部１ｂの室内側窓６の上縁を取り付ける室内側窓取付部４０ｄを有している。
【００２１】
この実施の形態では、上横向部４２の上面室外側にＬ字状のブラケット４５を取り付けて室外側パネル取付部４０ａとしてある。
そして、ブラケット４５にスパンドレル部１ａの室外側パネル３、例えばアルミパネルの下縁を固着して取り付けてある。
【００２２】
室内側縦向部４３の上部に上向片４３ａを形成すると共に、ブラケット４６を取り付け、そのブラケット４６と上向片４３ａとでスパンドレル部１ａの室内側パネル４、例えば断熱パネルの下縁を支持して室内側パネル取付部４０ｂとしてある。
室内側縦向部４３の下部の室外側に下向片４７を設けると共に、室内側に支持材４８を取り付けて下向凹部を形成し、室内側窓取付部４０ｄとしている。
【００２３】
室外側縦向部４１は、中空形状の上部材６０と、上部材６０の室内側下部に一体に設けた下向きの中間部材６１と、中間部材６１の下部に一体に設けた中空形状の下部材６２と、下部材６２に取り付けた室外側に向かう押縁６３を備え、下部材６２と押縁６３とで下向凹部６４を形成し、その下向凹部６４が室外側窓取付部４０ｃである。
上部材６０の下面と下部材６２の上面は上下方向に離隔し、その下面と上面と中間部材６１の室外側面とで室外側に開口した凹部６５を形成している。
つまり、室外側縦向部４１の室外面の上下中間は室内側に向けて凹み、凹部６５を有している。
【００２４】
上部材６０の中空部６０ａは、上部材６０の室内側面の上部に形成した流入口６６で凹陥部４４に開口し、空間８の上部に連通し、かつ上部材６０の下面に形成した排気口６７で凹部６５に連通している。
これにより、上部材６０の中空部６０ａ内が空間８内の空気が室外側に流れる下向きの空気排出路９を構成している。
【００２５】
この実施の形態のカーテンウォールユニット１は、ビジョン部１ｂに室外側窓５と室内側窓６を有すると共に、空間８を有したダブルスキンタイプである。
そして、上横材３０と下横材５０との間の隙間７、下横材５０の吸気口５８、中空部５５、流出口５９、つまり、空気流入路を経て室外の空気が空間８の下部に流入し、その空気は空間８の上部に向けて流れ、無目４０の室外側縦向部４１の流入口６６、中空部６０ａ、排気口６７（つまり、空気排出路９）を経て凹部６５に流出し、凹部６５から室外に排気される。
【００２６】
空気排出路９の入口である流入口６６は、空気排出路９の出口である排気口６７よりも上方で高低差を有するから、雨水が排気口６７に流入したとしても流入口６６から空間８の上部に吹き込み浸入することがない。
【００２７】
下横材５０の下面板５２に吸気口５８が形成され、下横材５０の下面と上横材３０の上面との間の隙間７から吸気口５８に室外の空気が流れるので、吸気口５８が室外から見えることがない。
無目４０の排気口６７は上部材６０の下面に形成され、その排気口６７から流出した空気は、室外側縦向部４１の上下中間に形成した凹部６５から室外に排気されるので、排気口６７が室外から見えることがない。
また、吸気口５８及び排気口６７にルーバーや防鳥ネットを設ける必要がなく、部品点数を削減できる。
【００２８】
無目４０の上部でスパンドレル部１ａの室外側パネル３と室内側パネル４を支持し、無目４０の下部でビジョン部１ｂの室外側窓部５と室内側窓部６を支持しているので、枠体２の見込み寸法を小さくできる。
【００２９】
図６に示すように、スパンドレル部１ａの室外側パネル３は、無目４０の室外側縦向部４１の上部材６０の下端部まで下方に突出し、上部材６０を覆って室外側縦向部４１の室外側上部が室外から見えないようにし、横シール材ｇでシールしているので、外観の見栄えが良い。
【００３０】
次に、前述の無目４０を用いたシングルスキンタイプのカーテンウォールユニットを用いたカーテンウォールの実施の形態を説明する。
図７に示すように、外観は図１に示すダブルスキンタイプのカーテンウォールユニットを用いたカーテンウォールと同様である。
図８に示すように、スパンドレル部１ａは室外側パネル３と室内側パネル４を備えている。
ビジョン部１ｂは室外側窓部５のみである。
【００３１】
縦材２０は、図９及び図１０に示すようにダブルスキンタイプのカーテンウォールユニットの縦材２０と同様で、ビジョン部１ｂに室内側窓部を取り付けしないために内向突片を有していない。
スパンドレル部１ａの室内側パネル４の縦縁は、本体２１に取り付けた室外側ブラケット２７と室内側ブラケット２８で支持される。室外側パネル３は押縁２６を用いて支持する。
ビジョン部１ｂの室外側窓５は二重ガラスとしてある。
【００３２】
図１１に示すように、スパンドレル部１ａの室外側パネル３の上縁は、押縁３２で上横材３０の室外側に支持してある。
下横材５０はダブルスキンタイプの下横材５０と同様で、室外の空気が隙間７、吸気口５８、中空部５５、流出口５９を経て居住空間１３に開口し、居住空間１３を自然換気するようにしてある。
流出口５９には開閉弁７０が取り付けてある。
【００３３】
図１２に示すように、無目４０の室外側パネル取付部４０ａは、室外側縦向部４１の上部材６０の下面に取り付けた押縁４９としてある。
この場合には空間８が存在しないので、上部材６０に流入口、排気口を形成せずに、上部材６０の中空部６０ａに空気が流れないようにしてある。
また、室内側窓取付部４０ｄは、下向片４７と支持材４８との間に覆い材７１を取り付け、下向き凹部を閉塞して室内側部材４３の室内側下面を平坦面としてある。
【００３４】
このようであるから、ダブルスキンタイプのカーテンウォールユニットを用いたカーテンウォールと、シングルスキンタイプのカーテンウォールユニットを用いたカーテンウォールとに無目４０を兼用できる。すなわち、建築外装に求められる様々な機能、性能に対して同一形材を用いて対応可能なカーテンウォール用無目となる。
【００３５】
また、無目４０の排気口６７は室外から見えないので、排気口６７を有する無目４０と排気口６７がない無目４０の外観が同一で、ダブルスキンタイプのカーテンウォールユニットとシングルスキンタイプのカーテンウォールユニットの外観を同一にすることができる。
したがって、ダブルスキンタイプのカーテンウォールユニットとシングルスキンタイプのカーテンウォールユニットを１つの建物に取り付けた場合に、建物の外観を統一することができる。
例えば、建物外壁に直接太陽光が照射する部分をダブルスキンタイプのカーテンウォールユニットとし、太陽光が照射しない部分をシングルタイプのカーテンウォールユニットとした場合に、その建物の外観を統一することができる。
【符号の説明】
【００３６】
１…カーテンウォールユニット、１ａ…スパンドレル部、１ｂ…ビジョン部、２…枠体、２ａ…上枠部、２ｂ…下枠部、３…室外側パネル、４…室内側パネル、５…室外側窓、６…室内側窓、８…空間、９空気排出路、２０…縦材、３０…上横材、４０…無目、４１…室外側縦向部、４２…上横向部、４３…室内側縦向部、４４…凹陥部、６０ａ…中空部、６６…流入口、６７…排気口。
【図１】
2015045167.tif 000003
【図２】
2015045167.tif 000004
【図３】
2015045167.tif 000005
【図４】
2015045167.tif 000006
【図５】
2015045167.tif 000007
【図６】
2015045167.tif 000008
【図７】
2015045167.tif 000009
【図８】
2015045167.tif 000010
【図９】
2015045167.tif 000011
【図１０】
2015045167.tif 000012
【図１１】
2015045167.tif 000013
【図１２】
2015045167.tif 000014